(57)【要約】      （修正有）【課題】ユチャの種を効率的に精選できる脱皮精選機を提供して、茶油の品質を高める。【解決手段】精選ベルト搬送装置６２が精選搬送溝６１を介して脱皮機構４７に接続され、前記精選ベルト搬送装置６２に精選溝体６３が設置され、精選溝体６３に精選ガイドブロックと精選仕切りブロック６４が設置され、精選溝体６３には精選搬送溝６１の内頂部の付近に精選材料掃き出しブロック６６が設置され、且つ精選材料掃き出しブロック６６と精選ベルト搬送装置６２との間隔に一つのユチャの種が通過しかできなく、精選仕切りブロック６４に精選口６５が開けられ、且つ精選溝体６３に精選プッシュブロックが嵌め込められ、精選プッシュブロックがフレーム１に設置されて且つ前後方向を向く精選シリンダーに接続され、前記精選プッシュブロックの内側に精選光束発信器が嵌め込められ、且つ精選プッシュブロックの内側面に反射光束受信器が設置される。【選択図】図１
2020001031.tif 000002
【特許請求の範囲】
【請求項１】
フレーム（1）を備え、前記フレーム（1）に互いに連係する脱皮機構（47）及び精選装置（25）が設置され、前記精選装置（25）はフレーム（1）に設置された精選ベルト搬送装置（62）を備え、前記精選ベルト搬送装置（62）が精選搬送溝（61）を介して脱皮機構（47）に接続され、前記精選ベルト搬送装置（62）にフレーム（1）に固設されて且つ精選ベルト搬送溝（61）と連係する精選溝体（63）が設置され、前記精選溝体（63）の内側に精選搬送溝（61）と連係する一側で精選ガイドブロック（67）が設置され、もう一側に精選溝体（63）を平等に仕切る精選仕切りブロック（64）が設置され、且つ精選溝体（63）が精選仕切りブロック（64）に仕切られた後、形成した精選搬送区域の幅が一つのユチャの種が通過しかできなく、前記精選溝体（63）には精選搬送溝（61）の内頂部の付近に精選材料掃き出しブロック（66）が設置され、且つ精選材料掃き出しブロック（66）と精選ベルト搬送装置（62）との間隔に一つのユチャの種が通過しかできなく、前記精選仕切りブロック（64）に精選口（65）が開けられ、且つ精選溝体（63）が精選口（65）と連係する箇所に精選プッシュブロック（69）が嵌め込められ、前記精選プッシュブロック（69）がフレーム（1）に設置されて且つ前後方向を向く精選シリンダー（68）に接続され、前記精選プッシュブロック（69）の内側に精選光束発信器（70）が嵌め込められ、且つ精選プッシュブロック（69）の内側面に反射光束受信器が設置されることを特徴とするユチャの脱皮精選機。
【請求項２】
前記脱皮機構（47）はフレーム（1）に設置されて且つ互いに連係する脱皮搬送溝（2）及び脱皮筒（11）を備え、前記脱皮搬送溝（2）に脱皮搬送スクリューコンベア（5）が設置され、前記脱皮搬送スクリューコンベア（5）がスクリューコンベア用モータ（6）に接続され、前記脱皮筒（11）に前後方向を向く脱皮回転軸（12）が設置され、且つ脱皮回転軸（12）が脱皮回転モータに接続され、前記脱皮回転軸（12）に脱皮回転筒（13）が被装され、前記脱皮回転筒（13）に脱皮搬送溝（2）と連係する脱皮材料受取溝（14）が均一に被装され、前記脱皮筒（11）の下部が斜面であり、且つ斜面の最も低い所に脱皮材料取出口（15）が開けられ、前記脱皮材料取出口（15）に殻種分離装置が連係され、前記精選搬送溝（61）が殻種分離装置と連係することを特徴とする請求項１に記載のユチャの脱皮精選機。
【請求項３】
前記脱皮搬送溝（2）の内腔は互いに連通している円柱形の内腔及び四角形の内腔であり、脱皮搬送スクリューコンベア（5）が円柱形の内腔に設置され、脱皮材料受取溝（14）が四角形の内腔の端部と連係し、且つ四角形の内腔に前後方向を向く脱皮搬送材料掃き出しブロック（7）が垂直方向に設置され、前記脱皮搬送材料掃き出しブロック（7）の下部から脱皮搬送溝（2）の内底面までの距離は36-75ｍｍであることを特徴とする請求項２に記載のユチャの脱皮精選機。
【請求項４】
前記脱皮搬送材料掃き出しブロック（7）の上部が脱皮搬送溝（2）を貫通し、且つ脱皮搬送材料掃き出しブロック（7）の上部に脱皮搬送材料掃き出し昇降ブロック（8）が接続され、前記脱皮搬送材料掃き出し昇降ブロック（8）が脱皮搬送溝（2）の上部に設置されて且つ垂直方向を向く脱皮搬送材料掃き出し昇降シリンダー（9）に接続され、前記脱皮搬送材料掃き出しブロック（7）には、脱皮筒（11）の近い側に脱皮搬送材料掃き出しブロック（7）の下部と揃える脱皮材料圧着ロック（10）が設置されることを特徴とする請求項３に記載のユチャの脱皮精選機。
【請求項５】
前記脱皮搬送溝（2）の上部に脱皮搬送スクリューコンベア（5）と連通している材料投入筒（3）が設置され、前記材料投入筒（3）の内側にそれの形状と一致する電熱ブロック（4）が設置され、前記材料投入筒（3）の上部は方柱形であり、下部は方錐形であり、且つ下部開口部の前後距離が脱皮搬送溝（2）の円柱形内腔の直径と一致することを特徴とする請求項３に記載のユチャの脱皮精選機。
【請求項６】
前記殻種分離装置はフレーム（1）に設置されて且つ脱皮材料取出口（15）と連係する殻種分離ボックス（16）を備え、前記殻種分離ボックス（16）に2本の前後方向を向く殻種分離回転軸（17）が上下に並んで設置され、前記殻種分離回転軸（17）に殻種分離モータが接続され、前記殻種分離回転軸（17）に殻種分離接続ブロック（18）を介して殻種分離網（19）が接続され、且つ上層の殻種分離網（19）の網目が9.6-12ｍｍとし、下層の殻種分離網（19）の網目が6.4-8ｍｍとし、前記殻種分離網（19）の左右両側に殻種分離弾力ブロック（20）が接続され、前記殻種分離ボックス（16）にそれぞれ二層の殻種分離網（19）と連係する殻種分離材料取出口（23）が開けられ、上部の殻種分離材料取出口（23）が殻搬送傾斜溝（24）を介してフレーム（1）に設置された殻収集装置（26）と連係し、下部の殻種分離材料取出口（23）が精選搬送溝（61）と連係することを特徴とする請求項２に記載のユチャの脱皮精選機。
【請求項７】
前記殻種分離ボックス（16）の下部に屑材料取出口が開けられ、且つ屑材料取出口に屑取出栓（21）が連係され、前記屑取出栓（21）が屑取出栓のロックボルト（22）を介して殻種分離ボックス（16）の下部に取り付けられ、前記殻種分離ボックス（16）の内側の底面の周りが高くなっており、屑材料取出口が低い斜面であることを特徴とする請求項６に記載のユチャの脱皮精選機。
【請求項８】
前記殻収集装置（26）はフレーム（1）に設置された殻収集ボックス（32）を備え、前記殻収集ボックス（32）に殻収集袋（33）が設置され、且つ収集袋（33）の袋口が殻収集ボックス（32）の上部に反対向きに折られ、それに殻収集圧着ふた（34）を介して殻収集ボックス（32）にしっかり押圧し、前記殻収集圧着ふた（34）の中部が開口であることを特徴とする、請求項６に記載のユチャの脱皮精選機。
【発明の詳細な説明】
【技術分野】
【０００１】
本発明はユチャの加工装置の分野に関し、特にユチャの脱皮精選機に関する。
【背景技術】
【０００２】
ユチャは重要な農産物であり、大きな経済価値を持つ農作物であって、中国湖南省で広く普及されている。
【０００３】
ユチャは殻と種を備え、その中で種が茶油の抽出に用いられて、高い経済価値を持っているため、ユチャに対して脱皮処理を行う必要がある、摘採の時期により、脱皮後の種は黒褐色になったり、黄色になることがある。黒褐色になったユチャの種は収油率が高くて、且つ品質も優れている、ただし精選には複雑で、作業量も大きいので、ユチャの種に対する製油は殆ど混合で抽出し、ユチャの種に対する精選を行わっていないのは現状であり、ユチャの種を精選できる脱皮精選機を設計して、茶油の品質を高めることが課題となっている。
【発明の概要】
【０００４】
本発明はユチャの脱皮精選機を提供することを目的とし、精選溝体における精選ガイドブロック及び精選材料掃き出しブロックを使用し、精選ベルト搬送装置と連係してユチャを一つずつ運搬し、精選光束発信器及び精選プッシュブロックにおける反射光束受信器と連係してユチャの種に対して検査を行い、精選口と連係して品質の悪いユチャの種を分離し、効率的にユチャの種を精選することが可能である。
【課題を解決するための手段】
【０００５】
以上の目的を実現するために、本発明の使用する技術的な解決方案は以下のとおりである。ユチャの脱皮精選機であって、それはフレームを備え、前記フレームに互いに連係する脱皮機構及び精選装置が設置され、前記精選装置はフレームに設置された精選ベルト搬送装置を備え、前記精選ベルト搬送装置が精選搬送溝を介して脱皮機構に接続され、前記精選ベルト搬送装置にフレームに固設されて且つ精選ベルト搬送溝と連係する精選溝体が設置され、前記精選溝体に精選搬送溝と連係する一側で精選ガイドブロックが設置され、もう一側に精選溝体を平等に仕切る精選仕切りブロックが設置され、且つ精選溝体が精選仕切りブロックに仕切られた後形成した精選搬送区域の幅に一つのユチャの種が通過しかできなく、前記精選溝体には精選搬送溝の内頂部の付近に精選材料掃き出しブロックが設置され、且つ精選材料掃き出しブロックと精選ベルト搬送装置との間隔に一つのユチャの種が通過しかできなく、前記精選仕切りブロックに精選口が開けられ、且つ精選溝体が精選口と連係する箇所に精選プッシュブロックが嵌め込められ、前記精選プッシュブロックがフレームに設置されて且つ前後方向を向く精選シリンダーに接続され、前記精選プッシュブロックの内側に精選光束発信器が嵌め込められ、且つ精選プッシュブロックの内側面に反射光束受信器が設置される。
さらに、前記脱皮機構はフレームに設置されて且つ互いに連係する脱皮搬送溝と脱皮筒を備え、前記脱皮搬送溝に脱皮搬送スクリューコンベアが設置され、前記脱皮搬送スクリューコンベアがスクリューコンベア用モータに接続され、前記脱皮筒に前後方向を向く脱皮回転軸が設置され、且つ脱皮回転軸が脱皮回転モータに接続され、前記脱皮回転軸に脱皮回転筒が被装され、前記脱皮回転筒に脱皮搬送溝と連係する脱皮材料受取溝が均一に被装され、前記脱皮筒の下部が斜面であり、且つ斜面の最も低い所に脱皮材料取出口が開けられ、前記脱皮材料取出口に殻種分離装置が連係され、前記精選搬送溝が殻種分離装置と連係する。
【０００６】
さらに、前記脱皮搬送溝の内腔は互いに連通している円柱形の内腔及び四角形の内腔であり、脱皮搬送スクリューコンベアが円柱形の内腔に設置され、脱皮材料受取溝が四角形の内腔の端部と連係し、且つ四角形の内腔に前後方向を向く脱皮搬送材料掃き出しブロックが垂直に設置され、前記脱皮搬送材料掃き出しブロックの下部から脱皮搬送溝の内底面までの距離は36-75ｍｍである。
【０００７】
さらに、前記脱皮搬送材料掃き出しブロックの上部が脱皮搬送溝を貫通し、且つ脱皮搬送材料掃き出しブロックの上部に脱皮搬送材料掃き出し昇降ブロックが接続され、前記脱皮搬送材料掃き出し昇降ブロックが脱皮搬送溝の上部に設置されて且つ垂直方向を向く脱皮搬送材料掃き出し昇降シリンダーに接続され、前記脱皮搬送材料掃き出しブロックには、脱皮筒の近い側に脱皮搬送材料掃き出しブロックの下部と揃える脱皮材料圧着ブロックが設置される。
【０００８】
さらに、前記脱皮搬送溝の上部に脱皮搬送スクリューコンベアと連通している材料投入筒が設置され、前記材料投入筒の内側にそれの形状と一致する電熱ブロックが設置され、前記材料投入筒の上部は方柱形であり、下部は方錐形であり、且つ下部開口部の前後距離が脱皮搬送溝の円柱形内腔の直径と一致する。
【０００９】
さらに、前記殻種分離装置はフレームに設置されて且つ脱皮材料取出口と連係する殻種分離ボックスを備え、前記殻種分離ボックスに2本の前後方向を向く殻種分離回転軸が上下に並んで設置され、前記殻種分離回転軸に殻種分離モータが接続され、前記殻種分離回転軸が分離接続ブロックを介して殻種分離網に接続され、且つ上層の殻種分離網の網目が9.6-12ｍｍとし、下層の殻種分離網の網目が茶の種の大きさの6.4-8ｍｍとし、前記殻種分離網の左右両側に殻種分離弾力ブロックが接続され、前記殻種分離ボックスにそれぞれ二層の殻種分離網と連係する殻種分離材料取出口が開けられ、上部の殻種分離材料取出口が殻搬送傾斜溝を介してフレームに設置された殻収集装置と連係し、下部の殻種分離材料取出口が精選搬送溝と連係する。
【００１０】
さらに、前記殻種分離ボックスの下部に屑材料取出口が開けられ、且つ屑材料取出口に屑取出栓が連係され、前記屑取出栓が屑取出栓のロックボルトを介して殻種分離ボックスの下部に取り付けられ、前記殻種分離ボックスの内側の底面の周りが高くなっており、屑材料取出口が低い斜面である。
【００１１】
さらに、前記殻収集装置はフレームに設置された殻収集ボックスを備え、前記殻収集ボックスに殻収集袋が設置され、且つ収集袋の袋口が殻収集ボックスの上部に反対向きに折られ、それに殻収集圧着ふたを介して殻収集ボックスにしっかり押圧し、前記殻収集圧着ふたの中部は開口である。
【発明の効果】
【００１２】
本発明の有益な効果は以下のとおりである。
【００１３】
1、精選溝体における精選ガイドブロック及び精選材料掃き出しブロックを使用し、精選ベルト搬送装置と連係してユチャの種を一つずつ運搬し、精選光束発信器及び精選プッシュブロックにおける反射光束受信器と連係してユチャの種に対して検査を行い、精選口と連係して品質の悪いユチャの種を分離し、効率的にユチャの種を精選することが可能である。
【００１４】
2、回転できる脱皮材料受取溝を使用し、脱皮搬送溝と連係して、弾けたユチャを下向きに振り落して衝突により脱皮させるため、手動で脱皮させることに比べて、効率が高くなると共に、ユチャの種の損傷も防止することができ、脱皮の効果を高める。
【００１５】
3、脱皮搬送溝の構造により、脱皮搬送材料掃き出しブロックを介してユチャが一層ずつに脱皮材料受取溝に落ちることを確保でき、一回に脱皮材料受取溝に入れたユチャが多すぎることにより自然に落ちて十分に脱皮できない状況を防止する。
【００１６】
4、脱皮搬送材料掃き出し昇降シリンダーの設計により、仕様が異なっているユチャに対して、脱皮搬送材料掃き出しブロックの高さを調整することが可能であり、よりよく掃き出し効果を達成すると同時に、脱皮材料圧着ブロックの設計と合わせて、弾けたユチャに対して初歩的な下向きに圧入して脱皮を行い、続いて回転脱皮と合わせて、よりよく脱皮効果を達成することができる。
【００１７】
5、材料投入筒及びその内の電熱ブロックの設計により、投入する時に、ユチャに対して加熱し弾けさせ、日干しにより弾けさせるプロセスを替えることができ、それに材料投入筒は構造がシンプルであり、脱皮搬送溝に入れるユチャがより大きな加熱接触面積を有することを確保する。
【００１８】
6、殻種分離部分は構造がシンプルであり、デザインが巧みで、分離網を回転することにより完全な分離を実現する。
【００１９】
7、屑取出栓の設計により、殻種分離ボックスの底部に落ちている屑を簡単に取り出すことができる。
【００２０】
8、殻収集装置の設計により、1袋ずつユチャの殻を収集することができ、操作が便利である。
【図面の簡単な説明】
【００２１】
【図１】ユチャの脱皮精選機の構造を示す図である。
【図２】図1におけるF-Fの断面図である。
【図３】脱皮機構の構造を示す図である。
【図４】図3におけるA-Aの断面図である。
【図５】図3におけるB-Bの断面図である。
【図６】図3におけるCの断面図である。
【図７】図3におけるDの断面図である。
【図８】殻収集装置の構造を示す図である。
【発明を実施するための形態】
【００２２】
当業者が本発明の技術的な解決手段をより良く理解するため、次に、図面と併せて本発明を詳しく説明する。この部分の説明は、実証性と解釈性のみであり、本発明の保護範囲は何ら限定されない。
【００２３】
図1−図8に示すとおり、本発明の具体的な構造は以下のとおりである。ユチャの脱皮精選機であって、それはフレーム1を備え、前記フレーム1に互いに連係する脱皮機構47及び精選装置25が設置され、前記精選装置25はフレーム１に設置された精選ベルト搬送装置62を備え、前記精選ベルト搬送装置62が精選搬送溝61を介して脱皮機構47に接続され、前記精選ベルト搬送装置62にフレーム1に固設されて且つ精選ベルト搬送溝61と連係する精選溝体63が設置され、前記精選溝体63の内側に精選搬送溝61と連係する一側で精選ガイドブロック67が設置され、もう一側に精選溝体63を平等に仕切る精選仕切りブロック64が設置され、且つ精選溝体63が精選仕切りブロック64に仕切られた後形成した精選搬送区域の幅に一つのユチャの種が通過しかできなく、前記精選溝体63には精選搬送溝61の内頂部の付近に精選材料掃き出しブロック66が設置され、且つ精選材料掃き出しブロック66と精選ベルト搬送装置62との間隔に一つのユチャの種が通過しかできなく、前記精選仕切りブロック64に精選口65が開けられ、且つ精選溝体63が精選口65と連係する箇所に精選プッシュブロック69が嵌め込められ、前記精選プッシュブロック69がフレーム1に設置されて且つ前後方向を向く精選シリンダー68に接続され、前記精選プッシュブロック69の内側に精選光束発信器70が嵌め込められ、且つ精選プッシュブロック69の内側面に反射光束受信器が設置される。
【００２４】
好ましくは、前記脱皮機構47はフレーム1に設置されて且つ互いに連係する脱皮搬送溝2及び脱皮筒11を備え、前記脱皮搬送溝2に脱皮搬送スクリューコンベア5が設置され、前記脱皮搬送スクリューコンベア5がスクリューコンベア用モータ6に接続され、前記脱皮筒11に前後方向を向く脱皮回転軸12が設置され、且つ脱皮回転軸12が脱皮回転モータに接続され、前記脱皮回転軸12に脱皮回転13筒が被装され、前記脱皮回転筒13に脱皮搬送溝2と連係する脱皮材料受取溝14が均一に被装され、前記脱皮筒11の下部が斜面であり、且つ斜面の最も低い所に脱皮材料取出口15が開けられ、前記脱皮材料取出口15に殻種分離装置が連係され、前記精選搬送溝61が殻種分離装置と連係する。
【００２５】
好ましくは、前記脱皮搬送溝2の内腔は互いに連通している円柱形の内腔及び四角形の内腔であり、脱皮搬送スクリューコンベア5が円柱形の内腔に設置され、脱皮材料受取溝14が四角形の内腔の端部と連係し、且つ四角形の内腔に前後方向を向く脱皮搬送材料掃き出しブロック7が垂直に設置され、前記脱皮搬送材料掃き出しブロック7の下部から脱皮搬送溝2の内底面までの距離は36-75ｍｍである。
【００２６】
好ましくは、前記脱皮搬送材料掃き出しブロック7の上部が脱皮搬送溝2を貫通し、且つ脱皮搬送材料掃き出しブロック7の上部に脱皮搬送材料掃き出し昇降ブロック8が接続され、前記脱皮搬送材料掃き出し昇降ブロック8が脱皮搬送溝2の上部に設置されて且つ垂直方向を向く脱皮搬送材料掃き出し昇降シリンダー9に接続され、前記脱皮搬送材料掃き出しブロック7には、脱皮筒11の近い側に脱皮搬送材料掃き出しブロック7の下部と揃える脱皮材料圧着ブロック10が設置される。
【００２７】
好ましくは、前記脱皮搬送溝2の上部に脱皮搬送スクリューコンベア5と連通している材料投入筒3が設置され、前記材料投入筒3の内部にそれの形状と一致する電熱ブロック4が設置され、前記材料投入筒3の上部は方柱形であり、下部は方錐形であり、且つ下部開口部の前後距離が脱皮搬送溝2の円柱形内腔の直径と一致する。
【００２８】
好ましくは、前記殻種分離装置はフレーム1に設置されて且つ脱皮材料取出口15と連係する殻種分離ボックス16を備え、前記殻種分離ボックス16に2本の前後方向を向く殻種分離回転軸17が上下に並んで設置され、前記殻種分離回転軸17に殻種分離モータが接続され、前記殻種分離回転軸17が分離接続ブロック18を介して殻種分離網19に接続され、且つ上層の殻種分離網19の網目が9.6-12ｍｍとし、下層の殻種分離網19の網目が茶の種の大きさの6.4-8ｍｍとし、前記殻種分離網19の左右側に殻種分離弾力ブロック20が接続され、前記殻種分離ボックス16にそれぞれ二層の殻種分離網19と連係する殻種分離材料取出口23が開けられ、上部の殻種分離材料取出口23が殻搬送傾斜溝24を介してフレーム1に設置された殻収集装置26と連係し、下部の殻種分離材料取出口23が精選搬送溝61と連係する。
【００２９】
好ましくは、前記殻種分離ボックス16の下部に屑材料取出口が開けられ、且つ屑材料取出口に屑取出栓21が連係され、前記屑取出栓21が屑取出栓のロックボルト22を介して殻種分離ボックス16の下部に取り付けられ、前記殻種分離ボックス16の内側の底面の周りが高くなっており、屑材料取出口が低い斜面である。
【００３０】
好ましくは、前記殻収集装置26はフレーム1に設置された殻収集ボックス32を備え、前記殻収集ボックス32に殻収集袋33が設置され、且つ収集袋33の袋口が殻収集ボックス32の上部に反対向きに折られ、それに殻収集圧着ふた34を介して殻収集ボックス32にしっかり押圧し、前記殻収集圧着ふた34の中部が開口である。
【実施例】
【００３１】
具体的に使用する場合、まず脱皮待ちのユチャを材料投入筒3に置いてから、材料投入筒3における電熱ブロック4を介して加熱し、一定時間を加熱して、ユチャが弾けた後、スクリューコンベア用モータ6により脱皮搬送スクリューコンベア5を駆動し、更にスクリューコンベア5を介してユチャを脱皮搬送溝2の四角形の内腔に搬送し、脱皮搬送溝2の内側に脱皮搬送材料掃き出しブロック7を通過する時、脱皮搬送材料掃き出しブロック7により積み重ねているユチャの実を遮り止めて、それを通過するユチャの実が一層しかないことを確保してから、脱皮搬送材料掃き出し昇降シリンダー9により脱皮材料圧着ブロック10を駆動し、脱皮搬送材料掃き出しブロック7を通過するユチャの実を下向きに圧入し、初歩的な下向き圧入操作を行ってから、ユチャが脱皮搬送溝2の出口から脱皮材料受取溝14に落ち、続いて脱皮回転モータにより脱皮材料受取溝14を駆動し、一定の角度を回転すると、ユチャの実を脱皮筒の下部に振り落して衝突により脱皮を完成する。または、脱皮後の種と殻が殻種分離ボックス16に入り、まず上層の殻種分離網19に落ちて、殻種分離モータにより上層の殻種分離網19を駆動し、続いて殻の屑及び種を下層の殻種分離網19に落とさせ、同時に上層に残っている殻が殻種分離材料取出口23を通して殻収集傾斜溝24に入れ、更に殻収集袋33に入れる。下層の殻種分離網の操作が上層と同じように、屑が殻種分離ボックス16の底に落ちて、種が精選搬送溝61に入り、屑が一定量になる時、屑取出栓21を取り出すことにより屑を取り出す。それに殻収集袋33に収集した殻が一定量になる時、殻収集圧着ふた34を開けて殻収集袋33を取り出して、新しい殻収集袋33を入れ替える。精選搬送溝61に入れたユチャの種が精選溝体63の下方における精選ベルト搬送装置62に入り、精選ベルト搬送装置62により搬送され、精選ガイドブロック67及び精選材料掃き出しブロック66の作用を加えて、ユチャの種が一つずつ精選仕切りブロック64に仕切られた一つの精選搬送区域に入れることを確保する。精選光束発信器70を通過する時搬送が停止し、もし反射光束受信機が反射信号を受信しない場合、精選ベルト搬送装置62の搬送を引き続け、もし反射光束受信機が反射信号を受信する場合、精選シリンダー68を介して精選プッシュブロック69を駆動してユチャの種を精選口65からもう一つの精選搬送区域へ押し出し、その後精選ベルト搬送装置62の搬送を引き続け、すべての脱皮精選を完成するまでこのように繰り返す。
【００３２】
説明すべきなのは、本明細書において、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに備え、またはこの種類の過程、方法、物品または装置の固有の要素をさらに含んでいる。
【００３３】
本明細書に具体的な個別事例を応用して本発明の原理及び実施方式を説明したが、上記の実例の説明は本発明の方法及びその基本理念に対する理解を手伝うだけに用いられる。上記は本発明の好ましい実施方式のみであり、注意すべきなのは、文字表現の制限性のため、客観的に無限の具体的な構造が存在し、本技術分野の当業者にとって、本発明の原理から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【符号の説明】
【００３４】
1  フレーム
2  脱皮搬送溝
3  材料投入筒
4  電熱ブロック
5  脱皮搬送スクリューコンベア
6  スクリューコンベア用モータ
7  脱皮搬送材料掃き出しブロック
8  脱皮搬送材料掃き出し昇降ブロック
9  脱皮材料掃き出し昇降シリンダー
10  脱皮材料圧着ブロック
11  脱皮筒
12  脱皮回転軸
13  脱皮回転筒
14  脱皮材料受取溝
15  脱皮材料取出口
16  殻種分離ボックス
17  殻種分離回転軸
18  殻種分離接続ブロック
19  殻種分離網
20  殻種分離弾力ブロック
21  屑取出栓
22  取出栓のロックボルト
23  殻種分離材料取出口
24  殻搬送傾斜溝
25  精選装置
26  殻収集装置
32  種収集ボックス
33  種収集袋
34  種収集圧着ふた
47  脱皮装置
61  精選搬送溝
62  精選ベルト搬送装置
63  精選溝体
64  精選仕切りブロック
65  精選口
66  精選材料掃き出しブロック
67  精選ガイドブロック
68  精選シリンダー
69  精選プッシュブロック
70  精選光束発信器
【図１】
2020001031.tif 000003
【図２】
2020001031.tif 000004
【図３】
2020001031.tif 000005
【図４】
2020001031.tif 000006
【図５】
2020001031.tif 000007
【図６】
2020001031.tif 000008
【図７】
2020001031.tif 000009
【図８】
2020001031.tif 000010